(57)【特許請求の範囲】
【請求項１】
上下方向に延び、上端部が上流側のとい部材に接続可能で下端部が下流側のとい部材に接続可能な流路部を備え、
前記流路部は、
前記上流側のとい部材に通じる上筒部と、
前記上筒部の下方に位置し、前記下流側のとい部材に通じる下筒部を備え、
前記上筒部は、
下方ほど流路面積が小さくなった絞り部と、
前記絞り部の下端に連続し、下方に向かって開口した連通口部を備え、
上下方向と直交する一方向を前方としたとき、
前記絞り部は、
前記連通口部の前端部から上方に行くほど前方に位置するように傾斜した傾斜壁部を備え、
前記下筒部は、
前方に臨む前壁部を備え、
前記前壁部の上端部は、前記連通口部よりも前方に離れて位置し、この上端部と前記傾斜壁部との間に、前方に向かって開口し、前記流路部内の雨水を外部にあふれさせるための排水口が形成され、
前記前壁部の上端が、前記連通口部の下端と同じ高さ又は前記連通口部の下端よりも上方に位置したことを特徴とする継手。
【請求項２】
前記継手は、
前記流路部の前側に設けられて、前記排水口を覆うカバー部を備え、
前記カバー部と前記流路部の間に、前記排水口よりも下方位置で下方に向かって開口し、前記排水口からあふれた水を下方に排出するための開口が形成されたことを特徴とする請求項１に記載の継手。
【請求項３】
上流側のとい部材と、
下流側のとい部材と、
請求項１または請求項２に記載の継手とを備えた排水構造であって、
前記流路部の上端部に、前記上流側のとい部材が接続され、
前記流路部の下端部に、前記下流側のとい部材が接続されたことを特徴とする排水構造。
【発明の詳細な説明】
【技術分野】
【０００１】
本発明は、継手、および排水構造に関する。
【背景技術】
【０００２】
特許文献１には、上流側の縦といと下流側の縦といを接続する継手が開示されている。この継手は、鉛直方向に延びた鉛直管と、鉛直管の側面から突出した枝管とで構成されている。上流側の縦といは、鉛直管の上端部に接続され、下流側の縦といは、鉛直管の下端部に接続される。この継手は、集中豪雨などの際に多量の雨水が流れた場合に、継手内部の雨水が枝管から外部にあふれ出て、上流側の縦といにつながったバルコニーに雨水が溜まりにくくなっている。
【先行技術文献】
【特許文献】
【０００３】
【特許文献１】特開２０１１−８９３２１号公報
【発明の概要】
【発明が解決しようとする課題】
【０００４】
ところで、前記継手にあっては、雨水をあふれさせるための枝管が、鉛直管から外側に向かって大きく突出しており、全体が大型化しやすい。また、このように縦とい同士を接続する継手が大型になることは、外観上好ましくなく、また、継手の設置場所が制限されやすい。
【０００５】
本発明は前記事情に鑑みてなされたものであって、集中豪雨により多量の雨水が流れるなどした場合に雨水を外部に排出でき、しかも大型化を抑制できる継手および排水構造を提供することを課題とする。
【課題を解決するための手段】
【０００６】
前記課題を解決するために、本発明の継手は、上下方向に延び、上端部が上流側のとい部材に接続可能で下端部が下流側のとい部材に接続可能な流路部を備え、前記流路部は、前記上流側のとい部材に通じる上筒部と、前記上筒部の下方に位置し、前記下流側のとい部材に通じる下筒部を備え、前記上筒部は、下方ほど流路面積が小さくなった絞り部と、前記絞り部の下端に連続し、下方に向かって開口した連通口部を備え、上下方向と直交する一方向を前方としたとき、前記絞り部は、前記連通口部の前端部から上方に行くほど前方に位置するように傾斜した傾斜壁部を備え、前記下筒部は、前方に臨む前壁部を備え、前記前壁部の上端部は、前記連通口部よりも前方に離れて位置し、この上端部と前記傾斜壁部との間に、前方に向かって開口し、前記流路部内の雨水を外部にあふれさせるための排水口が形成され、前記前壁部の上端部が、前記連通口部の下端と同じ高さ又は前記連通口部の下端よりも上方に位置したことを特徴とする。
【０００７】
また、本発明の排水構造は、上流側のとい部材と、下流側のとい部材と、前記継手とを備えた排水構造であって、前記流路部の上端部に、前記上流側のとい部材が接続され、前記流路部の下端部に、前記下流側のとい部材が接続されたことを特徴とする。
【発明の効果】
【０００８】
本発明の継手および排水構造においては、集中豪雨により多量の雨水が流れるなどした場合に、流路部内の雨水が排水口を介してあふれ出る。このため、バルコニーなどが存在する、継手の上流側に、雨水が溜まりにくくなる。また、流路部内の雨水をあふれさせる排水口が、下筒部の前壁部の上端部と上筒部の絞り部の傾斜壁部との間に形成されるため、継手が前方に大きくなりにくい。このため、継手の大型化を抑制できる。
【図面の簡単な説明】
【０００９】
【図１】図１は、本発明の第１実施形態の継手を用いた排水構造の説明図である。
【図２】図２は、図１のＡ部の縦断面図である。
【図３】図３は、前記継手の分解斜視図である。
【図４】図４は、図１のＡ部の斜視断面図である。
【図５】図５は、本発明の第２実施形態の継手を用いた排水構造を示す縦断面図である。
【図６】図６は、第２実施形態の継手の分解斜視図である。
【発明を実施するための形態】
【００１０】
以下、添付図面に基づいて本発明の実施形態について説明する。
【００１１】
（第１実施形態）
図１は、第１実施形態の継手１を含む排水構造の説明図である。この排水構造は、建物７のバルコニー７０に降った雨水を、地面に設けられた側溝８０に排出する。
【００１２】
本実施形態の排水構造は、排水経路を構成する部材として、ドレイン管９０、排水升９１、縦とい９２、継手１、縦とい９３、および雨水升９４を備えている。
【００１３】
ドレイン管９０は、バルコニー７０に設けられている。ドレイン管９０の下流側端部は、建物７の外壁７１から屋外側に突出している。
【００１４】
ドレイン管９０には、排水升９１、縦とい９２、継手１、および縦とい９３が順に接続されている。すなわち、本実施形態において、継手１の上流側に接続されるとい部材、および継手１の下流側に接続されるとい部材は、縦とい９２、９３である。以下、継手１の上流側に接続される縦とい９２を「上流側縦とい９２」と記載し、継手１の下流側に接続される縦とい９３を「下流側縦とい９３」と記載する。
【００１５】
排水升９１、上流側縦とい９２、継手１、および下流側縦とい９３は、外壁７１に沿って、この順序で上方から順に配されている。なお、上流側縦とい９２および下流側縦とい９３は、取付具などを用いて外壁７１に固定される。
【００１６】
バルコニー７０に降った雨水は、ドレイン管９０、排水升９１、上流側縦とい９２、継手１、および下流側縦とい９３を順に介して、雨水升９４に流れ込み、雨水升９４から側溝８０に排出される。
【００１７】
図２は、図１のＡ部の縦断面図である。なお、以下では、上下方向と直交した一方向であって、図２において矢印Ｄ１で示した方向を前方、図２において矢印Ｄ２で示した方向を後方として、継手１や縦とい９２，９３について説明する。なお、ここで規定する前方および後方は、継手１や縦とい９２，９３を設置した状態における方向を示すものではない。すなわち、継手１は、図１に示すように前面を外壁７１とは反対側に向けた状態で設置されてもよいし、前面を外壁７１側に向けた状態で設置されてもよい。また、継手１は、上方から見て、前面を外壁７１の厚み方向と直交した方向に向けた状態で設置されてもよい。
【００１８】
本実施形態の上流側縦とい９２および下流側縦とい９３は、断面略矩形状の角形縦といである。なお、継手１は、断面円形の丸形縦とい同士を接続するものであってもよい。
【００１９】
図３に示されるように、継手１は、本体１０、上板１１、および外カバー１２を備えている。
【００２０】
図２に示されるように、本体１０の上端部には、上板１１が設けられており、この本体１０と上板１１で、上下方向に延びた流路部１３が構成されている。
【００２１】
本体１０は、上流側縦とい９２に通じる上筒部１４と、上筒部１４の下方に位置して、下流側縦とい９３に通じる下筒部１５で構成されている。すなわち、流路部１３は、上筒部１４と下筒部１５を備えている。
【００２２】
流路部１３の上端部を構成する上板１１は、上筒部１４の上縁部上に設けられている。上板１１は、接着剤により上筒部１４に結合されている。なお、上板１１は、本体１０に対して、接着剤を用いずに、掛止や嵌め込みによって固定されてもよい。また、上板１１は、本体１０と一体に形成されてもよい。
【００２３】
上板１１は、略矩形枠状に形成されている。上板１１の中央部には、上下に貫通し、上流側縦とい９２の下端部に接続可能な上接続口部１６が形成されている。上接続口部１６は、上流側縦とい９２の下端部の輪郭に合致した断面略矩形状である。継手１は、上接続口部１６に上流側縦とい９２の下端部を嵌め込むことで、上流側縦とい９２に接続される。
【００２４】
上筒部１４は、上方から下方に向かって順に形成された、導入部１７、絞り部１８、および連通口部１９を備えている。
【００２５】
導入部１７は、断面略矩形の筒状に形成されている。導入部１７は、上接続口部１６と同心である。また、導入部１７は、上接続口部１６に接続される上流側縦とい９２とも同心である。
【００２６】
導入部１７の四方の壁部は、鉛直であり、導入部１７の流路面積（流路の断面積）は、上下方向に亘って一定である。上接続口部１６に接続された上流側縦とい９２の下流側開口９７は、導入部１７の内側に配される。
【００２７】
導入部１７の下端から下方に延びた絞り部１８は、下方ほど流路面積が小さくなった筒状に形成されている。連通口部１９は、筒状に形成されており、絞り部１８の下端から下方に延びている。
【００２８】
絞り部１８の下端部の中心軸ａ１は、絞り部１８の上端部の中心軸ａ２の後方に位置している。つまり、絞り部１８の下端部は、上端部よりも後方に偏心している。
【００２９】
絞り部１８は、前面を構成する傾斜壁部２０を備えている。傾斜壁部２０は、連通口部１９の前端部から上方に行くほど前方に位置するように傾斜している。
【００３０】
筒状の連通口部１９の中心軸方向は、鉛直である。連通口部１９の流路面積は、上下方向に亘って一定である。連通口部１９は下方に向かって開口している。上流側縦とい９２から、導入部１７に流れ込んだ雨水は、絞り部１８を介して連通口部１９に至り、連通口部１９から下筒部１５に流れる。
【００３１】
絞り部１８の周壁部のうち、傾斜壁部２０を除く三方の壁部は、導入部１７の対応する壁部から下方に向かって延びている。これら三方の壁部は、鉛直である。
【００３２】
下筒部１５は、上筒部１４の連通口部１９から下方に向かって順に形成された、流入部２１と下接続口部２２を備えている。
【００３３】
流入部２１は、下方ほど流路面積が小さくなった筒状に形成されている。ただし、流入部２１の流路面積は、上下方向に亘って連通口部１９の流路面積よりも大きい。
【００３４】
流入部２１は、前方に臨む鉛直な前壁部２３を備えている。前壁部２３の上端は、連通口部１９の下端と同じ高さに位置している。なお、前壁部２３は、連通口部１９の下端よりも上方に突出してもよい。また、前壁部２３の上端は、連通口部１９よりも下方に位置してもよい。
【００３５】
前壁部２３の上端部は、連通口部１９よりも前方に離れて位置しており、連通口部１９とは縁が切れている。連通口部１９とこの前方の前壁部２３の上端部の間には、上方に開口した開口２４が形成されている。以下、この開口を「第１開口２４」と記載する。
【００３６】
流入部２１の前壁部２３の上端部は、導入部１７の前面よりも後方に位置し、傾斜壁部２０の下方に位置している。前壁部２３の上端部とこの上方の傾斜壁部２０の間には、前方に開口した排水口２５が形成されている。
【００３７】
排水口２５は、第１開口２４を介して流入部２１の内部に通じている。このため、集中豪雨により排水経路に多量の雨水が流れ込んだり、上筒部１４より下流側の排水経路においてごみ詰まりが生じたりした場合、流入部２１内の雨水は、排水口２５から流路部１３の外にあふれ出る。この場合、第１開口２４の周縁部があふれ縁となる。
【００３８】
流入部２１の周壁部のうち、前壁部２３を除く三方の壁部５４，５５（後側の壁部５４、および左右の壁部５５）のそれぞれの上端は、連通口部１９につながっている。これら三方の壁部５４，５５は、下方ほど流路部１３の中心に近づくように傾斜している。このため、図２中矢印ｄ１に示すように、連通口部１９から流入部２１に流入した雨水は、これら三方の壁部５４，５５によって下接続口部２２までスムーズに導かれる。また、絞り部１８を設けて流入部２１の上端部との間に第１開口２４が形成されている。このため、通常の排水時には、上流側縦とい９２から流れ込んで絞り部１８を伝った雨水は、第１開口２４から排出されにくく、確実に下流側縦とい９３に導水される。
【００３９】
図４にも示されるように、流入部２１の側壁部５５の内面において、連通口部１９よりも前側に位置する部分には、第１開口２４から下方に向かって延びた三角形状の突部３８が形成されている。突部３８の後面３９は、下方ほど前方に位置するように傾斜している。
【００４０】
突部３８の後面３９には、通常の排水時において、連通口部１９から流入部２１に流れ込んだ後に、第１開口２４側に回り込もうとする雨水が当たる。このため、図４中矢印ｄ２に示すように、連通口部１９から流入部２１に流れ込んだ雨水は、第１開口２４側に向かって流れにくい。従って、通常の排水時に、流路部１３内の雨水が排水口２５から排出されることが抑制される。
【００４１】
また、連通口部１９から流入部２１に流入した後に、突部３８の後面３９に当たった雨水は、当該傾斜した後面３９に沿って下方に誘導される。このため、流入部２１に流入した雨水は、下接続口部２２に向かってスムーズに流れる。
【００４２】
図２に示されるように、下接続口部２２は、流入部２１の下端から下方に延びた筒状に形成されている。下接続口部２２は、導入部１７と同心である。また、下接続口部２２は、下接続口部２２に接続される下流側縦とい９３とも同心である。下接続口部２２の流路面積は、連通口部１９の流路面積よりも大きく、上下方向に亘って一定である。
【００４３】
下接続口部２２の上部には、下接続口部２２の外周面から外方に突出した鍔部４０が設けられている。鍔部４０の外周部には、下方に突出した位置規制部４１が周方向に複数設けられている。
【００４４】
継手１は、下接続口部２２が下流側縦とい９３の上端部の内側に嵌め込まれ、かつ複数の位置規制部４１の内側に下流側縦とい９３の上端部が嵌め込まれることで、下流側縦とい９３と接続される。この接続状態では、鍔部４０が下流側縦とい９３の上端面に載ることで、継手１の下方への移動が規制される。
【００４５】
図２および図３に示されるように、外カバー１２は、上下に開口した筒状に形成されている。外カバー１２は、接着剤によって本体１０および上板１１で構成された流路部１３に結合されており、流路部１３の周囲を囲んでいる。なお、外カバー１２は、接着剤を用いずに、嵌め込みや掛止によって流路部１３に固定されてもよい。また、外カバー１２は、流路部１３と一体に形成されてもよい。
【００４６】
外カバー１２は、後方および下方に開口した箱状のカバー部４２と、カバー部４２の両側縁部のそれぞれから後方に向かって延びた側板部４３，４４と、両側板部４３，４４の後端部同士をつないだ後板部４５を備えている。
【００４７】
外カバー１２の両側板部４３，４４は、流路部１３（本体１０）の対応する外側面に沿って配されている。外カバー１２の後板部４５は、流路部１３の後面に沿って配されている。
【００４８】
カバー部４２は、水平断面形状が後方に向かって開口したコ字状（略Ｃ字状）のカバー部周板４６と、カバー部周板４６の内側空間の上方を覆うカバー部蓋板４７で構成されている。
【００４９】
カバー部４２は、流路部１３（本体１０）の前側に配されており、排水口２５を外側から覆っている。このため、落葉などのごみや雨水が、排水口２５を介して流路部１３内に入り込むことが抑制される。
【００５０】
カバー部周板４６の一部であって、カバー部４２の前面を構成する前面部４８は、図２に示されるように、流路部１３から前方に離れている。流路部１３の前側には、本体１０とカバー部４２で囲まれた排水用隙間４９が形成されている。排水用隙間４９は、排水口２５に通じている。このため、排水口２５からあふれ出た雨水（オーバーフロー水）は、排水用隙間４９に流入する。
【００５１】
流路部１３の下部（詳しくは下接続口部２２）の前側には、流路部１３とカバー部周板４６の下端部とで囲まれた開口５０が形成されている。以下、この開口５０を「第２開口５０」と記載する。
【００５２】
第２開口５０は、排水口２５よりも下方位置で下方に向かって開口している。排水用隙間４９は、第２開口５０からカバー部４２の下方に通じている。このため、排水口２５から排水用隙間４９に流入した雨水は、第２開口５０から継手１の外部に排出される。
【００５３】
作業者は、前述のように、流路部１３の上端部に設けられた上接続口部１６に上流側縦とい９２の下端部を嵌め込み、流路部１３の下端部に設けられた下接続口部２２を下流側縦とい９３の上端部に嵌め込んで、継手１を両縦とい９２，９３に接続する。このように両縦とい９２，９３を継手１により接続した状態では、上流側縦とい９２の内部と下流側縦とい９３の内部が、継手１の流路部１３を介して通じる。
【００５４】
上流側縦とい９２から流路部１３内に流入した雨水は、通常、上筒部１４および下筒部１５を介して、下流側縦とい９３に排出される。また、集中豪雨により排水経路に多量の雨水が流れ込むなどした場合には、流路部１３内の雨水が第１開口２４および排水口２５を介して排水用隙間４９にあふれ、この後、第２開口５０から継手１の外部に排出される。
【００５５】
（第２実施形態）
次に第２実施形態について説明する。なお、以下の第２実施形態の説明では、第１実施形態と共通する構成には同一の符号を付し、共通する事項については説明を省略する。
【００５６】
図５に本実施形態の継手１を含む排水構造を示し、図６に本実施形態の継手１の分解斜視図を示す。
【００５７】
図５に示されるように、本実施形態の継手１は、外カバー１２が下筒部１５を備えており、本体１０には下筒部１５が設けられていない。すなわち、流路部１３は、本体１０の上筒部１４、外カバー１２の下筒部１５、および上板１１で構成されている。
【００５８】
また、本実施形態の継手１は、本体１０がカバー部蓋板４７を備えており、外カバー１２にはカバー部蓋板４７が設けられていない。すなわち、カバー部４２は、本体１０のカバー部蓋板４７と、外カバー１２のカバー部周板４６で構成されている。
【００５９】
カバー部蓋板４７は、本体１０の導入部１７の上端部から前方に向かって突出している。
【００６０】
本体１０の絞り部１８は、上端部と下端部が同心である。また、絞り部１８は、導入部１７と同心である。
【００６１】
図６に示されるように、外カバー１２は、上下に開口した筒状の本体部５１を備えている。本体部５１は、水平断面形状が後方に向かって開口したコ字状（略Ｃ字状）で上下に開口したカバー部周板４６と、カバー部周板４６の両側縁部のそれぞれから後方に向かって延びた側板部４３，４４と、両側板部４３，４４の後端部同士をつないだ後板部４５を備えている。
【００６２】
図５に示されるように、外カバー１２は、本体部５１に加えて、横板部５２、下接続口部２２、および前壁部２３を備えている。横板部５２は、後板部４５の下部から前方に突出し、本体部５１の両側板部４３，４４に間に架け渡されている。横板部５２の中央部には上下に貫通した孔５３が形成されている。
【００６３】
下接続口部２２は、横板部５２の孔５３の周縁部から下方に向かって突出している。前壁部２３は、横板部５２の前端部から上方に向かって突出している。
【００６４】
下筒部１５は、前壁部２３、後板部４５、両側板部４３，４４、横板部５２、および下接続口部２２で構成されている。本実施形態の流入部２１は、下筒部１５において下接続口部２２よりも上流側の部分であり、前壁部２３、後板部４５、両側板部４３，４４、および横板部５２で構成されている。
【００６５】
流入部２１の前壁部２３の上端から横板部５２に至るまでの流路面積は、上下方向に亘って同じであり、また、連通口部１９の流路面積よりも大きい。
【００６６】
流入部２１の前壁部２３の上端は、連通口部１９の下端よりも上方に位置している。なお、前壁部２３の上端は、連通口部１９の下端と同じ高さに位置してもよいし、連通口部１９よりも下方に位置してもよい。
【００６７】
流入部２１の前壁部２３の上端部は、絞り部１８の前方に位置しており、この前壁部２３の上端部と絞り部１８の間に、上方に開口した第１開口２４が形成されている。また、流入部２１の前壁部２３の上端部は、傾斜壁部２０の下方に位置しており、この前壁部２３の上端部と傾斜壁部２０の間に、前方に開口した排水口２５が形成されている。
【００６８】
連通口部１９は、流入部２１の内周面より内側に離れており、流入部２１とは周方向に亘って縁が切れている。
【００６９】
下接続口部２２は、連通口部１９と同心である。継手１は、下接続口部２２が下流側縦とい９３の上端部の内側に嵌め込まれることで、下流側縦とい９３と接続される。この接続状態では、横板部５２が下流側縦とい９３の上端面に載ることで、継手１の下方への移動が規制される。
【００７０】
以上説明した、第１実施形態および第２実施形態の継手１は、以下の特徴を有している。継手１は、流路部１３を備える。流路部１３は、上下方向に延び、上端部が上流側のとい部材（上流側縦とい９２）に接続可能で下端部が下流側のとい部材（下流側縦とい９３）に接続可能である。流路部１３は、上流側のとい部材に通じる上筒部１４と、上筒部１４の下方に位置し、下流側のとい部材に通じる下筒部１５を備える。上筒部１４は、下方ほど流路面積が小さくなった絞り部１８と、絞り部１８の下端に連続し、下方に向かって開口した連通口部１９を備える。上下方向と直交する一方向を前方としたとき、絞り部１８は、連通口部１９の前端部から上方に行くほど前方に位置するように傾斜した傾斜壁部２０を備える。下筒部１５は、前方に臨む前壁部２３を備える。前壁部２３の上端部が連通口部１９よりも前方に位置する。前壁部２３の上端部と傾斜壁部２０との間に、前方に向かって開口し、流路部１３内の水を外部にあふれさせるための排水口２５が形成される。
【００７１】
この特徴を有する継手１は、集中豪雨により排水経路に多量の雨水が流れ込むなどした場合に、流路部１３内の雨水が排水口２５を介してあふれる。このため、バルコニー７０などが存在する、継手１の上流側に、雨水が溜まりにくくなる。
【００７２】
また、流路部１３内の雨水をあふれさせる排水口２５が、下筒部１５の前壁部２３の上端部と上筒部１４の絞り部１８の傾斜壁部２０との間に形成されるため、継手１が前方に大きくなりにくい。このため、継手１の大型化を抑制できる。また、これにより、継手１の外観が向上し、また、継手１の設置場所が制限されにくい。
【００７３】
また、第１実施形態および第２実施形態の継手１は、以下に示す付加的な特徴を有している。継手１は、流路部１３の前側に設けられて、排水口２５を覆うカバー部４２を備える。カバー部４２と流路部１３の間に、排水口２５よりも下方位置で下方に向かって開口し、前記排水口２５からあふれた雨水を下方に排出するための開口５０（第２開口５０）が形成される。
【００７４】
この特徴を有する継手１は、排水口２５からあふれた水が、開口５０から排出される。また、排水口２５がカバー部４２で覆われるため、落葉などのごみや雨水が排水口２５を介して流路部１３内に入り込みにくい。
【００７５】
また、第１実施形態および第２実施形態の排水構造は、以下に示す特徴を有している。排水構造は、上流側のとい部材（上流側縦とい９２）と、下流側のとい部材（下流側縦とい９３）と、前述の継手１とを備える。流路部１３の上端部に、上流側のとい部材が接続される。流路部１３の下端部に、下流側のとい部材が接続される。
【００７６】
この特徴を有する排水構造は、集中豪雨により排水経路に多量の雨水が流れ込むなどした場合に、流路部１３内の雨水が排水口２５を介してあふれる。このため、バルコニー７０などが存在する、継手１の上流側に、雨水が溜まりにくくなる。
【００７７】
なお、第１実施形態および第２実施形態におけるカバー部４２は、省略可能である。
【００７８】
また、第１実施形態および第２実施形態の継手１は、上流側縦とい９２と下流側縦とい９３を接続する縦とい用継手であるが、これに制限されない。継手１の上流側および下流側に接続されるとい部材は、例えば呼びといやエルボ、排水升であってもよい。
【００７９】
また、継手１を含む排水構造は、バルコニー７０の水を排出するものに制限されず、ベランダの水や軒樋の水などを排出するための排水構造であってもよい。
【００８０】
また、この他、第１実施形態および第２実施形態の継手１および排水構造は、本発明の趣旨を逸脱しない範囲で適宜設計変更可能である。
【符号の説明】
【００８１】
１  継手
１３  流路部
１４  上筒部
１５  下筒部
１８  絞り部
１９  連通口部
２０  傾斜壁部
２３  前壁部
２５  排水口
４２  カバー部
５０  開口（第２開口）
９２  上流側のとい部材（上流側縦とい）
９３  下流側のとい部材（下流側縦とい）
【図１】
0006562344.tif 000002
【図２】
0006562344.tif 000003
【図３】
0006562344.tif 000004
【図４】
0006562344.tif 000005
【図５】
0006562344.tif 000006
【図６】
0006562344.tif 000007